(57)【特許請求の範囲】
【請求項１】
Ｘ線源と、
前記Ｘ線源から照射されるＸ線を検出し、検出したＸ線の強度に応じた電気信号を出力するＸ線検出器と、
前記電気信号に基づいて画像処理を行い、Ｘ線画像を生成する画像処理部と、
前記Ｘ線を用いた検査手技の選択操作を受け付ける手技選択部と、
前記Ｘ線検出器に蓄積される暗電流のオフセット補正を、種類が異なる複数のオフセット補正モードにより実行するオフセット補正実行部と、
前記検査手技に対し、前記複数種類のオフセット補正モードの実行要否を判定する順序を対応づけた判定順序データを記憶する判定順序記憶部と、
前記判定順序データを参照し、前記手技選択部により選択された検査手技に対応した判定順序に沿って、前記複数種類のオフセット補正モードの実行要否を判定する判定部と、
前記Ｘ線画像を表示する表示部と、
を備え、
前記オフセット補正実行部は、前記判定順序の順に、前記判定部による判定結果に基づいて各オフセット補正モードによるオフセット補正処理を実行する、
ことを特徴とするＸ線画像診断装置。
【請求項２】
前記複数種類のオフセット補正モードに含まれる各オフセット補正モードの最終実施時刻を記憶する最終実施時刻記憶部を更に備え、
前記判定部は、前記最終実施時刻記憶部を参照し、各オフセット補正モードの最終実施時刻から判定時刻までの経過時間を算出し、当該経過時間が予め定められた所定時間を経過している場合に、そのオフセット補正モードの実行が必要であると判定する、
ことを特徴とする請求項１に記載のＸ線画像診断装置。
【請求項３】
前記オフセット補正実行部によるオフセット補正の実行状況を、前記表示部に表示するオフセット補正状況表示制御部を更に備える、
ことを特徴する請求項１又は２に記載のＸ線画像診断装置。
【請求項４】
前記オフセット補正モードごとの使用頻度を記憶する使用頻度記憶部と、
前記使用頻度が相対的に高いオフセット補正モードが、前記判定順序データにおいて相対的に早い順番になるように前記判定順序データを変更する判定順序編集部と、
を更に備えることを特徴とする請求項１乃至３の何れか一つに記載のＸ線画像診断装置。
【請求項５】
Ｘ線源から照射されるＸ線を検出し、検出したＸ線の強度に応じた電気信号を出力するＸ線検出器に蓄積される暗電流を、Ｘ線画像診断装置によって補正するオフセット補正方法であって、
前記Ｘ線を用いた検査手技の選択操作を受け付けるステップと、
前記Ｘ線を用いた検査手技に対し、複数種類のオフセット補正モードの実行要否を判定する順序を対応づけた判定順序データを参照し、前記選択された検査手技に対応する判定順序を設定するステップと、
前記判定順序に沿って、前記複数種類のオフセット補正モード毎の実行要否を判定するステップと、
前記判定順序の順に、前記判定において実行する必要があると判定されたオフセット補正モードによるオフセット補正処理を実行するステップと、
を含むことを特徴とするＸ線画像診断装置によるオフセット補正方法。
【発明の詳細な説明】
【技術分野】
【０００１】
本発明は、Ｘ線画像診断装置及びＸ線検出器の暗電流のオフセット補正方法に係り、特に、Ｘ線検出器（以下、Flat  Panel  Detectorを略して「ＦＰＤ」と記す。）を用いたＸ線画像診断装置におけるＦＰＤのオフセット補正技術に関するものである。
【背景技術】
【０００２】
Ｘ線画像診断装置は、Ｘ線ＣＴ装置やＭＲＩ装置や超音波診断装置等の他のモダリティと比較して、デジタル画像化の進展が遅れていたが、近年、Ｘ線画像データの蓄積・読出しが可能な記憶媒体の出現、並びに半導体Ｘ線検出素子を２次元アレイ状に形成したＦＰＤの出現により、デジタル画像化の進展が加速されている。
【０００３】
ＦＰＤはＸ線蛍光体（シンチレータ）とフォトダイオードやフォトトランジスタ等の半導体素子を組み合わせたＸ線検出素子を２次元平面上に複数個配列して構成されている。各Ｘ線検出素子には、Ｘ線照射によって発生したシンチレータの光に対応して半導体素子に流れる電流を積分することによってＸ線量を検出するＸ線検出回路が設けられている。
【０００４】
ＦＰＤを構成する半導体素子には、ＦＰＤの電源をオンすると、シンチレータへＸ線が入射しなくとも微弱な電流（暗電流という）が流れ、Ｘ線検出回路によって時間積分される。この状態でＸ線撮影が行われると、被検体を透過したＸ線の検出値と暗電流成分の積分値との合算値がＦＰＤから読み出される。したがって、被検体の診断用画像を作成するためには、Ｘ線撮影時にＦＰＤから出力された撮影画像から暗電流成分を取り除く必要がある。このＦＰＤの撮影画像から暗電流成分を取り除く処理をオフセット補正という。
【０００５】
ＦＰＤの半導体素子に流れる暗電流は、Ｘ線撮影装置が設定されたＸ線室の温度環境や、半導体素子が発する熱等によりＸ線撮影の開始とともに変動する。このために、オフセット補正に用いる暗電流成分（以下、オフセット補正データと記す。）の収集動作がＸ線検査の進行とともに、Ｘ線撮影装置内で繰り返して行われる必要がある。
【０００６】
オフセット補正に用いる暗電流成分の取得方法として、特許文献１には、Ｘ線撮影が行われている期間はオフセット補正データの取得を行わずに、Ｘ線撮影が行われていない期間にオフセット補正データを取得する方式が開示されている。
【先行技術文献】
【特許文献】
【０００７】
【特許文献１】特開２００６−２３９１０１号公報
【発明の概要】
【発明が解決しようとする課題】
【０００８】
透視撮影用のＦＰＤでは、撮影の種類（パルス撮影、連続撮影、ｂｉｎｎｉｎｇ）や、照射されるＸ線の特性（フレームレート、パルス時間）に応じた複数の検査手技において用いられるので、これら検査手技に応じたオフセット補正モードを行うことが望ましい。しかしながら、特許文献１には、検査手技や異なる種類のオフセット補正モードに関しての考慮がされていないという問題があった。
【０００９】
そこで、本発明は、検査手技やオフセット補正モードの種類の違いを考慮してオフセット補正を行うＸ線画像診断装置及びＸ線検出器の暗電流のオフセット補正方法を提供することを目的とする。
【課題を解決するための手段】
【００１０】
本発明は上記目的を達成するために、本発明に係るＸ線画像診断装置は、Ｘ線源と、前記Ｘ線源から照射されるＸ線を検出し、検出したＸ線の強度に応じた電気信号を出力するＸ線検出器と、前記電気信号に基づいて画像処理を行い、Ｘ線画像を生成する画像処理部と、前記Ｘ線を用いた検査手技の選択操作を受け付ける手技選択部と、前記Ｘ線検出器に蓄積される暗電流のオフセット補正を、種類が異なる複数のオフセット補正モードにより実行するオフセット補正実行部と、前記検査手技に対し、前記複数種類のオフセット補正モードの実行要否を判定する順序を対応づけた判定順序データを記憶する判定順序記憶部と、前記判定順序データを参照し、前記手技選択部により選択された検査手技に対応した判定順序に沿って、前記複数種類のオフセット補正モードの実行要否を判定する判定部と、前記Ｘ線画像を表示する表示部と、を備え、前記オフセット補正実行部は、前記判定部による判定結果に基づいて各オフセット補正モードによるオフセット補正処理を実行する、ことを特徴とする。
【００１１】
また本発明に係るＸ線検出器の暗電流のオフセット補正方法は、Ｘ線源から照射されるＸ線を検出し、検出したＸ線の強度に応じた電気信号を出力するＸ線検出器に蓄積される暗電流のオフセット補正方法であって、前記Ｘ線を用いた検査手技の選択操作を受け付けるステップと、前記Ｘ線を用いた検査手技に対し、複数種類のオフセット補正モードの実行要否を判定する順序を対応づけた判定順序データを参照し、前記選択された検査手技に対応する判定順序を設定するステップと、前記判定順序に沿って、前記複数種類のオフセット補正モード毎の実行要否を判定するステップと、前記判定において実行する必要があると判定されたオフセット補正モードによるオフセット補正処理を実行するステップと、を含むことを特徴とする。
【発明の効果】
【００１２】
本発明によれば、検査手技やオフセット補正モードの種類の違いを考慮してオフセット補正を行うＸ線画像診断装置及びＸ線検出器の暗電流のオフセット補正方法を提供することができる。その結果、選択された検査手技にとって、より優先度の高いオフセット補正モードから順に実行要否が判定することができ、優先度の高いオフセット補正が実行されないままＸ線画像を生成することによる画質の低下を抑制することができる。
【図面の簡単な説明】
【００１３】
【図１】本実施形態に係るＸ線画像診断装置の全体構成を示す図
【図２】オフセット補正処理部８０の構成を示すブロック図
【図３】判定順序データ及び補正モードデータの一例を示す模式図であって、（ａ）は判定順序データを示し、（ｂ）は補正モードデータを示す。
【図４】本実施形態の処理の流れを示すフローチャート
【図５】検査手技Ａが選択された場合のオフセット補正モードの判定順序の一例を示す説明図
【図６】検査手技Ｂが選択された場合のオフセット補正モードの判定順序の一例を示す説明図
【図７】検査手技Ｃが選択された場合のオフセット補正モードの判定順序の一例を示す説明図
【発明を実施するための形態】
【００１４】
以下、本発明の実施形態について図面を用いて説明する。同一機能を有する構成及び同一の処理内容の手順には同一符号を付し、その説明の繰り返しを省略する。本実施形態では、被検体の静止画像からなるＸ線画像を取得する「撮影」、及び被検体の動画像からなるＸ線画像を取得する「透視」のどちらの検査にも用いられるＸ線画像診断装置に本発明を適用した場合を例に説明するが、「撮影」又は「透視」のどちらかのみを行うＸ線画像診断装置にも本発明を適用できる。
【００１５】
まず、図１に基づいて、本実施形態に係るＸ線画像診断装置の構成について説明する。図１は、本実施形態に係るＸ線画像診断装置の全体構成を示す図である。
【００１６】
図１に示すＸ線画像診断装置１は、被検体２にＸ線を照射するＸ線源１０と、被検体２に対するＸ線照射領域を設定する絞り装置１１と、Ｘ線源１０に電力供給を行なう高電圧発生器１２と、Ｘ線源１０に対向する位置に配置され、被検体２を透過したＸ線を検出するＸ線検出器２０と、Ｘ線検出器２０から出力されたＸ線信号に対して画像処理を行なう画像処理部３０と、Ｘ線画像（透視画像を含む）を表示する表示部４０と、上記各構成要素を制御する制御部５０と、制御部５０に対する指示の入力操作を行う操作部６０と、被検体２を載置する寝台７０と、を備えている。
【００１７】
Ｘ線源１０は、高電圧発生器１２から電力供給を受けてＸ線を発生させるＸ線管球を有する。また、Ｘ線源１０には、特定のエネルギーのＸ線を選択的に透過させるＸ線フィルタなどを有していてもよい。
【００１８】
絞り装置１１は、Ｘ線源１０から発生したＸ線を遮蔽するＸ線遮蔽用鉛板を複数有し、複数のＸ線遮蔽用鉛板をそれぞれ移動することにより、被検体２に対するＸ線照射領域を決定する。
【００１９】
Ｘ線検出器２０は、例えば、Ｘ線を検出する複数の検出素子が二次元アレイ状に配置されて構成されたフラットパネルディテクタ（Flat  Panel  Detector：以下略して「ＦＰＤ」と記す。）を用い、Ｘ線源１０から照射されて被検体２を透過したＸ線の入射量に応じたＸ線信号を検出する機器である。
【００２０】
画像処理部３０は、Ｘ線検出器２０から出力されたＸ線信号を画像処理し、画像処理されたＸ線画像を出力する。画像処理には、例えば、ガンマ変換処理、階調変換処理、画像の拡大・縮小処理等が含まれる。
【００２１】
表示部４０は、画像処理部３０から出力されたＸ線画像を表示するもので、例えばＣＲＴや液晶パネルを用いた画像表示装置を備える。
【００２２】
操作部６０は、検査の開始の指示を入力する検査開始部６１と、検査手技を選択する手技選択部６２と、を備える。検査開始部６１は、例えば、Ｘ線の曝射指示を入力するＸ線曝射ボタンやフットペダルを備えてもよい。検査開始部６１からの指示入力が停止すると検査を中断・停止する。手技選択部６２は、撮影の種類（パルス撮影、連続撮影、ｂｉｎｎｉｎｇ）や、照射されるＸ線の特性（フレームレート、パルス時間）に応じた複数の撮影モードを選択する装置であり、例えば、被検体２の検査部位と撮影／透視の種別とを組み合わせたプリセットメニューを表示部４０に表示し、表示されたプリセットメニューから検査部位を選択することで、上記撮影の種類やＸ線の特性を選択できる装置として構成してもよいし、各撮影モードに応じた撮影条件の設定入力を行う装置として構成してもよい。その他、操作部６０は、検査手技や撮影条件を規定するパラメータを入力したり、画像処理部３０及び表示部４０による画像処理・表示の条件を入力したりする入力装置、例えばマウス、キーボード、タッチパネルや各種ボタンを備える。
【００２３】
制御部５０は、高電圧発生器１２、Ｘ線検出器２０、画像処理部３０、表示部４０及び操作部６０と接続され、操作部６０からの入力条件に従って、高電圧発生器１２、Ｘ線検出器２０、画像処理部３０、及び表示部４０の動作を制御する。また、制御部５０は、Ｘ線検出器２０の暗電流のオフセット補正を行うオフセット補正処理部８０を備える。このオフセット補正処理部８０は、複数種類のオフセット補正モードを用いて、Ｘ線検出器２０のオフセット補正を行う。
【００２４】
次に、図２、３に基づいて、オフセット補正処理部８０の構成及びオフセット補正処理に用いるデータについて説明する。図２は、オフセット補正処理部８０の構成を示すブロック図である。図３は、判定順序データ及び補正モードデータの一例を示す模式図であって、（ａ）は判定順序データを示し、（ｂ）は補正モードデータを示す。
【００２５】
図２に示すように、オフセット補正処理部８０は、各検査手技に対し、複数種類のオフセット補正モードの実行要否を判定する順序を対応づけた判定順序データを記憶する判定順序記憶部８１と、補正順序データを参照し、手技選択部６２により選択された検査手技に対応した順序で、複数種類のオフセット補正モードの実行要否を判定する判定部８２と、Ｘ線検出器２０に蓄積される暗電流のオフセット補正を実行するオフセット補正実行部８３と、判定部８２による判定時刻や、オフセット補正の実施時刻を計測する計時部８４と、各オフセット補正モードの最終実施時刻を記憶する最終実施時刻記憶部８５と、表示部４０にオフセット補正の実行状況を表示するオフセット補正状況表示制御部８６と、を備える。上記各構成要素は、これらの機能を実現するためのプログラムと、そのプログラムと協働し、プログラムの機能を実現する演算・制御装置や記憶装置からなるハードウェアを用いて構成してもよいし、例えば計測部８４を、ＲＴＣ(Real  Time  Clockの略)を用いて構成するなど、専用回路により構成してもよく、各構成要素の機能を実現するものであればその装置構成は問わない。
【００２６】
判定順序記憶部８１に記憶される判定順序データ８１ａには、検査手技と、オフセット補正モードの実行要否の判定順序と、が関連付けて記録されている。例えば、図３の（ａ）に示す判定順序データ８１ａでは、検査手技毎にモード番号１、２、３、４、５、６からなる６種類のオフセット補正について実行要否の判定順序が規定される。例えば「検査手技Ａ」に対しては、「１、２、３、４、５、６」の判定順序が関係づけられて登録されている。同様に、「検査手技Ｂ」に対しては、「２、１、３、４、５、６」の判定順序が関係づけられて登録されている。また、「検査手技Ｃ」に対しては、「２、１、３、４、５、６」の判定順序が関係づけられて登録されている。
【００２７】
最終実施時刻記憶部８５は、各オフセット補正データとその最終実施時刻とを記録した補正モードデータ８５ａを記憶する。
【００２８】
図３の（ｂ）に示す補正モードデータ８５ａでは、更に、判定順序データ８１ａで使用する各オフセット補正モードの詳細も関連付けて記憶する。補正モードデータ８５ａには、オフセット補正モードのモード番号と、「撮影の種類」、Ｘ線の特性例として「フレームレート」及び「パルス照射時間」と、オフセット補正実行部８３により最後にそのモードによるオフセット補正処理が行われた時刻である「最終実施時刻」と、撮影した画像のデータサイズを規定する「ビニング」と、が関連付けて記憶される。「最終実施時刻」の更新処理は、オフセット補正実行部８３が実行終了時に行う。
【００２９】
補正モードデータ８５ａでは、「モード１」は、撮影の種類として「パルス（撮影）」、フレームレートは「ｆｒ１」、パルス照射時間は「ｐ１」、最終実施時刻「ｔ１」、ビニング「ｂ１」が関連付けて記憶されている。「モード２」は、撮影の種類として「連続（撮影）」、フレームレート及びパルス照射時間はデータなし、最終実施時刻は「ｔ２」、ビニング「ｂ２」が関連付けて記憶されている。「モード３」は、撮影の種類として「単発（撮影）」、フレームレートは「ｆｒ２」、パルス照射時間は「ｐ２」、最終実施時刻は「ｔ３」、ビニング「ｂ３」が関連付けて記憶されている。１つの検査手技には、その検査手技に適した複数のモードがあり、例えば頭部撮影用に検査手技（Ａ）を作成したとすると、検査手技Ａには頭部撮影に適した複数のモード番号、例えば１、２、３がある。そこで、検査手技Ａに対応する判定要否の順序において、検査手技Ａに適した補正モード１、２、３は、先頭に配置される。
【００３０】
上記判定順序データ８１ａ及び補正モードデータ８５ａは一例に過ぎず、項目数やパラメータの種類、数などは適宜変更できる。
【００３１】
本実施形態は、検査手技に応じて複数種類のオフセット補正モードの実行要否の判定順序が設定され、それに基づいてオフセット補正モードの実行要否の判定を行う実施形態である。以下、図４乃至図７を用いて本実施形態の処理について説明する。図４は、本実施形態の処理の流れを示すフローチャートである。図５は、検査手技Ａが選択された場合のオフセット補正モードの判定順序の一例を示す説明図である。図６は、検査手技Ｂが選択された場合のオフセット補正モードの判定順序の一例を示す説明図である。図７は、検査手技Ｃが選択された場合のオフセット補正モードの判定順序の一例を示す説明図である。以下、図４の各ステップ順に説明する。
【００３２】
（ステップＳ１）
検査開始に先立ち、被検体２を寝台７０に載置する。次いで、ユーザは、操作部６０の手技選択部６２から検査手技を選択する（Ｓ１）。
【００３３】
（ステップＳ２）
判定部８２は、オフセット判定順序記憶部８１に記憶された判定順序データ８１ａを参照し、ステップＳ１で選択された検査手技に対応する判定順序を設定する（Ｓ２）。
【００３４】
（ステップＳ３）
判定部８２は、ステップＳ２で設定したオフセット判定順序で、最初（１番目）に実行要否の判定対象とするオフセット補正モードを設定する（Ｓ３）。
【００３５】
（ステップＳ４）
ユーザが検査開始部６１から撮影開始の指示を入力したか否かが判定され、肯定であればステップＳ２へ進み、否定であればステップＳ５へ進む（Ｓ４）。
【００３６】
（ステップＳ５）
判定部８２は、最終実施時刻記憶部８５の補正モードデータ８５ａを参照し、ステップＳ３で判定対象として設定されたオフセット補正モードの最終実施時刻を読み出す。次いで、判定部８２は、計時部８４を参照して現在時刻を取得し、上記最終実施時刻から現在時刻までの経過時間を算出する。次いで、その経過時間と予め定められた所定期間と比較することで、経過時間が所定時間よりも短いか否かを判定する。否定であればステップＳ３へ戻り、肯定であればステップＳ６へ進む（Ｓ５）。
【００３７】
（ステップＳ６）
オフセット補正実行部８３は、Ｘ線検出器２０に対し、ステップＳ３で判定対象として設定されたオフセット補正モードによるオフセット補正を実行する。そして、オフセット補正が終了すると、補正モードデータ８５ａの最終実施時刻を記録・更新する（Ｓ６）。その後、Ｓ３へ戻り、判定順序に従って、次のオフセット補正モードを判定対象として設定する。
【００３８】
（ステップＳ７）
オフセット補正状況表示制御部８６は、表示部４０にオフセット補正の実行状況を表示する（Ｓ７）。オフセット補正の実行状況の表示は、例えば、オフセット補正状況表示制御部８６が、ステップＳ２で算出されたオフセット補正モードの順序に従って、全オフセット補正モードについて「実行済」、「実行中」、「未実行」を区別して表示してもよいし、全オフセット補正モードの実行が終わるまでに必要な時間を算出して表示してもよい。また、ステップＳ６で実行中のオフセット補正モードの終了までの時間を表示してもよい。なお、オフセット補正状況の表示は、必須ではない。すなわち、本ステップがなくても、オフセット補正モードの実行要否の判定を行うことはできる。
【００３９】
上記の処理による効果について図５を用いて説明する。
【００４０】
図５に示すように、検査手技Ａの選択後の１回目のオフセット補正処理（図５では、「オフセット補正処理１」と記す。）が開始される。「検査手技Ａ」が選択された場合、判定順序データ８１ａによれば、オフセット補正モードは、「１、２、３、４、５、６」の順序で実行要否が判定される。
【００４１】
よって、オフセット補正処理１では、まず、オフセット補正モード１の実行要否の判定がされる。そして、オフセット補正モード１が前回実施された時の時刻である最終実施時刻から所定時間、例えば１０分以上経過していると、判定部８２は、実行が必要と判断し、オフセット補正実行部８３がオフセット補正モード１によるオフセット補正を実行する。
【００４２】
次に、判定部８２は、オフセット補正モード２の実行要否の判定を行う。そして、オフセット補正モード２が前回実行された時の時刻である最終実施時刻から所定時間以上経過していると、オフセット補正モード２が実行要と判断され、このモードを用いたオフセット補正処理が実行される。
【００４３】
次に、オフセット補正順序に従えば、オフセット補正モード３が判定対象となるべきであるが、撮影処理１（検査手技Ａに規定された撮影処理）が行われると、オフセット補正モード３についてはこの撮影処理１の前において判定対象とされない。
【００４４】
そして、撮影処理１が終わる。図５では、撮影処理１が終わった後も、検査手技Ａが選択された状態が続行しているので（図５では、矢印Ａの長さで検査手技Ａの選択状態を示す）、再度、オフセット補正モードは、「１、２、３、４、５、６」の順序で実行要否が判定される。ここで、オフセット補正モード１は、前回のオフセット補正モード１の最終実施時刻から所定時間（上記の例では１０分間）が経過していないので、実行不要と判定される。同様に、オフセット補正モード２は、前回のオフセット補正モード２の最終実施時刻から所定時間（上記の例では１０分間）が経過していないので、実行不要と判定される。次に、実行要否の判定対象となるオフセット補正モード３は、最終実施時刻から所定時間（上記の例では１０分間）が経過しているので実行される。オフセット補正モード４、５、６についても、検査手技Ａが選択された状態が続行し、かつ、次の撮影処理や検査中断、終了がされなければ、順次、実行要否の判定がされ、その結果に基づいて実行又は不実行となる。図５では、オフセット補正モード４、５、６が実行要と判定され、その結果実行された場合を示している。その後、撮影処理２が実行される。
【００４５】
撮影処理２では、所定時間内に全てのオフセット補正モードによる補正処理が実行されるが、撮影処理１では、オフセット補正モード１、２のみ行った状態での撮影となる。しなしながら、複数種類あるオフセット補正モードのうち、検査手技に応じて実行の要否を判定する順序を決めているので、選択された検査手技にとって、より優先度が高い順にオフセット補正モードの実行要否、及びそれに伴う実行・不実行を行うことができる。その結果、連続する撮影処理の間隔が短く、全てのオフセット補正モードを実行する時間が確保できない場合でも、より優先度の高いオフセット補正モードを実行することで、暗電流成分による画質の低下を抑止し、Ｘ線画像の画像品質の向上に寄与することができる。
【００４６】
次に図６に基づいて、「検査手技Ｂ」が選択された場合を例に説明する。
【００４７】
図６の例では、「検査手技Ｂ」が選択される前に、検査手技Ｘの選択中（矢印Ｘが示す時間）のオフセット補正処理が行われ、オフセット補正モード２及び３が実行されているとする。
【００４８】
その後、「検査手技Ｂ」が選択されたとする。「検査手技Ｂ」の選択中（矢印Ｂが示す時間）は、判定順序データ８１ａによれば、オフセット補正モードは、「２、１、３、４、５、６」の順序で実行要否が判定される。
【００４９】
よって、判定部８２は、まずオフセット補正モード２について実行要否を判定する。オフセット補正モード２は、矢印Ｘの終了間際に実行されており、最終実施時刻から所定時間が経過していないため、実行不要と判定される。
【００５０】
２番目に、判定部８２は、オフセット補正モード１について実行要否を判定する。オフセット補正モード１は、最終実施時刻から判定時刻までに所定時間が経過しているため、実行要と判定される。その結果、オフセット補正モード１による暗電流のオフセット補正が実行される。
【００５１】
３番目に、判定部８２は、オフセット補正モード３について実行要否を判定する。オフセット補正モード３も、矢印Ｘの終了間際に実行されており、その時刻から所定時間が経過していないため、実行不要と判定される。
【００５２】
以後、オフセット補正モード４、５、６の順に実行要否の判定がされる。その結果、各モードの最終実施時刻から判定時刻までの経過時間が所定時間以上であるので、実行要と判定され、各オフセット補正モード４、５、６による暗電流のオフセット補正が実行される。その後、検査手技Ｂにより規定された撮影処理が行われる。この撮影処理では、所定時間内に全てのオフセット補正モードが実行された状態で、撮影を行うことができる。
【００５３】
次に図７に基づいて、「検査手技Ｃ」が選択された場合を例に説明する。「検査手技Ｃ」が選択された場合、判定順序データ８１ａによれば、オフセット補正モードは、「４、２、３、１、５、６」の順序で実行要否が判定される。そこで、図７では、「検査手技Ｃ」が選択されると、オフセット補正処理１では、オフセット補正モード４、２の順で実行要否の判定がされる。この直後に撮影処理１（検査手技Ｃに規定された撮影処理）が行われると、オフセット補正処理１では、オフセット補正モード３以降の実行要否の判定は行われない。
【００５４】
撮影処理の終了後、オフセット補正処理２が実行される。オフセット補正処理２は、検査手技Ｃの選択中（矢印Ｃが示す時間中）に行われるので、各オフセット補正モードは、「４、２、３、１、５、６」の順序で実行要否が判定される。ここで、オフセット補正モード４、２は、撮影処理の直前に実行されており、最終実施時刻からの経過時間が所定時間未満なので、オフセット補正処理２では実行不要と判定される。
【００５５】
次にオフセット補正モード３の実行要否の判定がされ、実行要と判定された結果、モード３によるオフセット補正処理が実行される。この直後、検査手技Ｃの選択状態が解除になる（矢印Ｃが終了する）と、オフセット補正モード１、５、６は判定対象とならない。
【００５６】
なお、検査手技Ｃの選択状態が解除後、新たな検査手技が選択されず、Ｘ線画像診断装置１が待機状態となった場合には、次の検査に備えて、やり残したオフセット補正モード１、５、６の順に実行要否の判定を行い、必要であれば実行を行ってもよい。
【００５７】
更に、Ｘ線画像診断装置１が待機状態となった場合には、次の検査に備えて、オフセット補正を随時行ってもよい。この場合、直近で設定されたオフセット補正モードの順序に沿って、オフセット補正モードの実行要否を判定してもよい。図７の例では、検査手技Ｃに対応するオフセット補正モードの順序を、待機状態における判定順序として流用する。または、待機状態におけるオフセット補正モードの判定順序を予め定めておき、直近の検査手技（図７では検査手技Ｃ）が終了すると、待機状態用の判定順序に切り変わるように構成されてもよい。
【００５８】
本実施形態によれば、Ｘ線撮影と次のＸ線撮影の間隔が短い場合、全オフセット補正モードのオフセット補正処理を行うことはできないという事態が起こりうるが、検査手技に応じて複数あるオフセット補正モードの実行要否の判定順序を決めておくことにより、より優先順位の高いオフセット補正モードから実行することができる。
【００５９】
上記実施形態では、実行要否の判定に最終実施時刻からの経過時間を用いたが、Ｘ線検出器の温度を計測する温度測定部を備え、温度変化又はＸ線検出器の温度が閾値を超えるとオフセット補正を実行すると判定してもよい。
【００６０】
その他の実施形態として、表示部４０にオフセット補正データの判定順序を表示し、操作部６０からのユーザが適宜判定順序を編集できるように構成しても良い。
【００６１】
また、補正モードデータ８５ａに各補正モードの使用頻度を記憶し、その使用頻度が相対的に高いオフセット補正モードが、判定順序データ８１ａに登録された判定順序データにおいて相対的に早い順番になるように、判定順序データを変更する判定順序編集部を更に備えても良い。例えば、デフォルトでは判定順序データ８１ａの検査手技Ａの補正要否の判定順序が「１，２，３，４，５，６」と規定されていたとする。ここで、補正モード２と補正モード３との使用頻度を比べると、補正モード３の使用頻度が補正モード２よりも相対的に高いとする。この場合、判定順序編集部は、判定順序データ８１ａの検査手技Ａの補正要否の判定順序「１，２，３，４，５，６」を、より使用頻度が高いものから順に判定要否が行えるように「１，３，２，４，５，６」に変更してもよい。
【符号の説明】
【００６２】
１：Ｘ線画像診断装置、２：被検体、１０：Ｘ線源、１１：絞り装置、１２：高電圧発生器、２０：Ｘ線検出器、３０：画像処理部、４０：表示部、５０：制御部、６０：操作部、７０：寝台
【図１】
0005845076.tif 000002
【図２】
0005845076.tif 000003
【図３】
0005845076.tif 000004
【図４】
0005845076.tif 000005
【図５】
0005845076.tif 000006
【図６】
0005845076.tif 000007
【図７】
0005845076.tif 000008